(57)【要約】【課題】  ケースを車体に対して、少なくとも２方向に取り付け可能に構成するとともに、長期にわたり取り付け状態が維持されるケースの保持構造を提供する。【解決手段】保持部３で被保持部２０を保持するケースの保持機構であって、平行に延びるガイド部２１〜２４の対が相互に直交してなる被保持部２０と、一方の前記ガイド部２１，２２の対に対し、その厚み方向に拘束されつつガイド部２１，２２に沿って移動可能に設けられた、前記被保持部２０を保持する保持部３とで構成する。保持部３を、一方のガイド部２１，２２の外面に沿って移動するガイド部５の対と、その間でガイド部２１，２２と平行に延びて、他方のガイド部２３，２４の対に係合させるロック部１０と、前記ガイド部５と、前記ロック部１０のとを連結するベース部７とで構成する。そして、ロック部１０に、他方のガイド部２３，２４の対のうちいずれかのガイド部２３，２４に対応する位置に前記被保持部２０に向けて突出する係合部１１を形成する。【選択図】      図１
2006299972.tif 000002
【特許請求の範囲】
【請求項１】
ケースを車体に保持させるため、保持部又は被保持部のいずれか一方が前記ケースに形成され、他方が車体側に設けられたケースの保持機構であって、
平行に延びるガイド部の対が相互に直交してなる被保持部と、
一方の前記ガイド部の対に対し、その厚み方向に拘束されつつガイド部に沿って移動可能に設けられた、前記被保持部を保持する保持部と、から構成され、
前記保持部は、一方の前記ガイド部の対における各ガイド部の外面に沿って移動するスライド部の対と、このスライド部の対の間で一方の前記ガイド部と平行に延びて、他方の前記ガイド部の対を構成しているいずれかのガイド部に係合させるロック部と、前記スライド部の対と、前記ロック部とを連結するベース部とから構成され、
前記ロック部には、前記他方のガイド部の対のうち、いずれかのガイド部に対応する位置に前記被保持部に向けて突出する係合部が形成されていることを特徴とするケースの保持機構。
【請求項２】
前記被保持部のガイド部は、その厚み方向に突出するガイド面と、このガイド面の厚み方向における先端にて当該被保持部の外側方に向けて張り出す拘束部とを具備し、
前記スライド部は、前記拘束部と前記ケースとの間に形成されたスリットに沿ってスライドすることを特徴とする請求項１に記載のケースの保持機構。
【請求項３】
前記保持部を案内させている一方のガイド部の対に直交する、他方のガイド部の対は、その各ガイド部が前記保持部のスライド部又はベース部を突き当てさせて、この被保持部に対する前記保持部のスライドを止めるストッパであることを特徴とする請求項１又は請求項２に記載のケースの保持機構。
【請求項４】
前記保持部は、前記被保持部に対してスライドさせる方向に関し、前記ベース部及び本体部とを具備し、
前記本体部には折り曲げられて、前記ベース部から前記被保持部側に向けて突出された突出部が形成され、
前記スライド部は、前記本体部に形成され、
前記本体部と前記ロック部とは、前記拘束部の厚みに対応する距離を空けて平行をなしていることを特徴とする請求項１〜３いずれかに記載のケースの保持機構。
【発明の詳細な説明】
【技術分野】
【０００１】
本発明は、キャニスタ等のケースを所定位置に保持する保持機構に関する。
【背景技術】
【０００２】
キャニスタやリザーブタンク等、ケースを有する機器は、このケース又は車体の一方に、保持部を、他方に被保持部を設け、保持部で被保持部を保持することで車体に対して着脱可能に取り付けられる。そして、このような機器は、例えば、エンジンルームの内部や燃料タンク付近に一般的に取り付けられている。
【０００３】
そして、近年、車の高性能化に伴い、エンジンルーム内に種々の機器が収納される傾向にあり、キャニスタ等のケースを取り付けるスペースがますます制限される傾向にある。このため、キャニスタ等のケースを取り付ける際に、周囲の機器や、車体そのものに干渉させずに取り付けることができる保持機構が望まれるようになった。
【０００４】
特許文献１には、キャニスタを車体に取り付けるために、キャニスタケースの外周面に被保持部を形成すると共に、この被保持部を保持する保持部を設け、両者を着脱可能に構成したキャニスタの保持機構の発明が開示されている。
【０００５】
この特許文献１に示された発明では、キャニスタケースは、その外周面に略矩形状の被保持部を設けている。この被保持部は、対向する外縁同士がそれぞれテーパ状に形成されている。即ち、直交する２方向に関して被保持部の外縁はテーパ状に形成されている。一方、保持部はその両側縁に、被保持部の外周縁と係合する係合部を備えている。この係合部も、テーパ状に形成されており、被保持部の外縁に係合可能に構成されている。
【０００６】
このようにして、特許文献１に開示のキャニスタの保持機構は、車体の直交する２方向に対してキャニスタを取り付け可能に構成している。
【０００７】
【特許文献１】実公平８−８９０１号公報
【発明の開示】
【発明が解決しようとする課題】
【０００８】
しかし、特許文献１に開示された発明は、テーパ部分の係合を利用する機構であるため、取り付け後、時間の経過と共にゆるみが生じるなどの不都合がある。
【０００９】
そこで、本発明では、ケースを車体に対して、少なくとも２方向に取り付け可能に構成するとともに、長期にわたり取り付け状態が維持されるケースの保持機構を提供する。
【課題を解決するための手段】
【００１０】
本発明では上記の課題を解決するために、保持部（３）又は被保持部（２０，３０）のいずれか一方を前記ケース（２）に形成させ、他方を車体側に設けたケースの保持機構であって、平行に延びるガイド部（２１〜２４，３１〜３４）の対が相互に直交してなる被保持部（２０，３０）と、一方の前記ガイド部（２１〜２４，３１〜３４）の対に対し、その厚み方向に拘束されつつガイド部（２１〜２４，３１〜３４）に沿って移動可能に設けられた、前記被保持部（２０，３０）を保持する保持部（３）と、から構成され、前記保持部（３）は、一方の前記ガイド部（２１，２２）（３３，３４）の外面に沿って移動するスライド部（５）の対と、このスライド部（５）の対の間で一方の前記ガイド部（２１，２２）（３３，３４）と平行に延びて、他方の前記ガイド部（２３，２４）（３１，３２）の対を構成しているいずれかのガイド部（２３，２４）（３１，３２）に係合させるロック部（１０，１５）と、前記スライド部（５）の対と、前記ロック部（１０，１５）とを連結するベース部（７）とから構成され、前記ロック部（１０，１５）には、前記他方のガイド部（２３，２４）（３１，３２）の対のうちいずれかのガイド部（２３，２４）（３１，３２）に対応する位置に前記被保持部（２０，３０）に向けて突出する係合部（１１，１６）が形成されているケースの保持機構を採用した。
【００１１】
また、本発明では、上記ケースの保持機構に関し、前記被保持部（２０，３０）のガイド部（２１〜２４，３１〜３４）は、その厚み方向に突出するガイド面（２１ａ〜２４ａ，３１ａ〜３４ａ）と、このガイド面（２１ａ〜２４ａ，３１ａ〜３４ａ）の厚み方向における先端にて当該被保持部（２０，３０）の外側方に向けて張り出す拘束部（２６，４０）とを具備し、前記スライド部（５）は、前記拘束部（２６，４０）と前記ケース（２）との間に形成されたスリット（２７，４１）に沿ってスライドするように構成した。
【００１２】
さらに、本発明では上記ケース（２）の保持機構について、前記保持部（３）を案内させている一方のガイド部の対（２１，２２）（２３，２４）（３１，３２）（３３，３４）に直交する、他方のガイド部の対（２１，２２）（２３，２４）（３１，３２）（３３，３４）は、その各ガイド部（２１，２２，２３，２４）（３１，３２，３３，３４）が前記保持部（３）のスライド部（５）又はベース部（７）を突き当てさせて、この被保持部（２０，３０）に対する前記保持部（３）のスライドを止めるストッパであることを特徴としている。
【００１３】
そして、本発明では上記ケースの保持機構において、前記保持部（３）は、前記被保持部（２０，３０）に対してスライドさせる方向に関し、前記ベース部（７）及び本体部（４）及び先端部（１４）とから構成され、前記本体部（４）には、折り曲げられて、前記ベース部（７）から前記被保持部（２０，３０）側に向けて突出された突出部（６）が形成され、前記スライド部（５）は、前記本体部（４）に形成され、前記本体部（４）と前記ロック部（１０，１５）とは、前記拘束部（２６，４０）の厚みに対応する距離を空けて平行をなしていることを特徴とする。
【発明の効果】
【００１４】
本発明によれば、ケースを直交する２方向で、しかもその向きも双方向についてスライドさせて取り付けることができる。
【００１５】
また、ロック部の係合部と、ベース部の内端縁又はスライド部の先端がガイド部を挟持するので強固に被保持部を保持部が保持する。この際、ロック部が弾性変形するため、ロック部が緩衝部材として機能する。
【発明を実施するための最良の形態】
【００１６】
以下、本発明の実施形態について図面を参照しながら説明する。
【００１７】
図１及び図２は、本発明の第１の実施形態にかかるケースの保持機構をキャニスタ１のケース２に適用したものを示している。図１はケースの保持機構の正面図であり、図２は側面図である。なお、以下では、本発明をキャニスタ１のケース２に適用したものを例に説明するが、キャニスタ１のケース２に限定されるものではなく、Ｐ／Ｓタンクやリザーブタンクなど筒状のケースを備えた機器に適用することができる。
【００１８】
これら図１及び図２に示すように、ケース２の保持機構はケース２の側面に形成された被保持部２０と、この被保持部２０を保持する保持部３とから構成されている。
【００１９】
まず、図３及び図４を参照して保持部３の詳細について説明する。保持部３は、板状部材が打ち抜き加工及び折り曲げ加工されてなり、ベース部７、本体部４及び先端部１４から構成されている。本体部４は、ベース部７との境界部分及びこの境界部分から先端側に所定距離だけ離れた位置に折り曲げ部１２，１３がそれぞれ形成されている。そして、この折り曲げ部１２，１３の間の範囲が、下側（図４における左側）に向けて突出された突出部６として形成されている。また、この保持部３は、本体部４の領域で中央部が打ち抜き加工されており、中央に空間部分Ａが形成されている。このため、本体部４は、当該保持部３の両側部にて平行をなして形成されている。なお、両本体部４の間に形成された空間部分Ａは、被保持部２０が挿入される部位である。
【００２０】
そして、この本体部４の内縁側には、中心側に向けて突出し、相互に対向しているスライド部５が形成されている。このスライド部５は、本体部４の突出部６において、先端側の折り曲げ部１３の直近に形成されている。
【００２１】
さらに、この保持部３には、左右方向の中心にて、各本体部４と平行をなして延びるロック部１０を備えている。ベース部７の内縁端８には、左右方向の中央部分に、ベース部７の外側に向けて切り欠かれた凹所９が形成されている。ロック部１０は、この凹所９の形成された部分にてベース部７から本体部４の延びる方向と同方向に延びている。このロック部１０は、その平面視における外形が縦長な台形状に形成され、先端に向かうに連れて先細りとなっている。このロック部１０は、その先端が、突出部６のほぼ中央の位置まで延びており、その先端には、厚み方向に関し、本体部４側に向けて突出する係合部１１が形成されている。この係合部１１の形成されている位置は、後に詳細を説明するように、被保持部２０を保持させた際に、ベース部７側のガイド部に対応するように位置されている。また、このロック部１０は、図４に示すように、厚み方向についても所定の距離を空けて本体部４と平行をなして延びている。
【００２２】
この保持部３を構成する板状部材は、それ自体に弾性がある。このため、ロック部１０は、ベース部７を基点として、その根元より先端側が保持部３の厚み方向に弾性変形する（図４に示す矢印を参照）。
【００２３】
次に図５〜図７を参照して、被保持部２０の詳細を説明する。
【００２４】
この被保持部２０は２セットのガイド部２１，２２，２３，２４の対から構成されている。被保持部２０は、ケース２の外周面から一定の厚みに突出された矩形状の座部２５を有し、ガイド部２１，２２，２３，２４は、この座部２５の上面から一定の高さでかつ一定の肉厚に形成された正方形状に突出している。そして、４つの頂点の位置には、ガイド部２１，２２，２３，２４の高さ方向における上端から当該被保持部２０の外側方に向けてそれぞれ張り出す拘束部２６が形成されている。これら拘束部の厚みは拘束部のロック部１０と突出部６との間に形成された間隔に対応している。なお、座部２５と各拘束部２６との間には各ガイド部２１，２２，２３，２４の外面側にスリット２７がそれぞれ形成される。また、ガイド部２１，２２，２３，２４の外面が保持部３の本体部４を案内するガイド面２１ａ，２２ａ，２３ａ，２４ａとして機能する。
【００２５】
正方形状のガイド部２１，２２，２３，２４のうち、対向して相互に平行をなす部位同士が、ガイド部の対としてそれぞれ構成される。図５に示す例では、ガイド部２１，２２，２３，２４のうち、符号２１，２２の付されたものが一方のガイド部の対を構成し、符号２３，２４の付されたものが他方のガイド部の対を構成する。なお、ガイド部２１，２２，２３，２４は正方形状をなしているため、一方のガイド部の対２１，２２と、他方のガイド部の対２３，２４とは、相互に直交している。
【００２６】
さらに、各ガイド部２１，２２，２３，２４の中央部には、図７に示すように、内方に向けて矩形に若干窪ませた凹所２１ｂ，２２ｂ，２３ｂ，２４ｂがそれぞれ形成されている。これら凹所２１ｂ，２２ｂ，２３ｂ，２４ｂは、保持部２に被保持部２０を取り付ける際に、保持部のスライド部５が最初にはめ込まれる部分である。
【００２７】
以上の保持部３と被保持部２０によれは、前述の図１及び図２に示すように、保持部３が被保持部２０を保持する。
【００２８】
図１及び図２に示す例において、被保持部２０を保持部３へ取り付けるには、まず、被保持部２０の各ガイド部２１，２２に形成された凹所２１ｂ，２２ｂと、保持部３に形成されたスライド部５の位置を一致させ、被保持部２０を、保持部３の空間部Ａの内側へ押し込む。次いで、スライド部５の内端縁をガイド面２１ａ，２２ａに当接させた状態で、被保持部２０を保持部３のベース７側へスライドさせる。すると、スライド部５は、ガイド部２３側の拘束部２６と座部２５との間に形成されたスリット２７の間をスライドする。さらに、ベース部７の内縁端８の部位が、ベース部７側のガイド部２４の端部に形成されている拘束部２６と座部２５との間に形成されたスリット２７内に挿入される。
【００２９】
そうすると、スライド部５のスライドをガイドする一方のガイド部の対２１，２２と直交する他方のガイド部の対２３，２４のうち、ベース部７側のガイド部２４のガイド面２４ａとベース部７の内端縁８とが当接される。即ち、本実施の形態では、ガイド部２４自体がストッパとして機能する。また、ロック部１０の先端に形成された係合部１１は、ベース部７側のガイド部２４を乗り越え、ガイド部２４の内面と係合する。
【００３０】
このように、保持部３が被保持部２０を保持した状態では、ロック部１０はベース部７を基点として先端側が被保持部２０側に付勢され、ロック部１０に形成された係合部１１とベース部７の内端縁８とがガイド部２４を挟み込む。さらに、スライド部５及びベース部７の内縁端８は、各拘束部２６により、被保持部２０の高さ方向の移動が拘束される。このような作用を通じて、保持部３は被保持部２０を強固に保持する。そして、ロック部１０が弾性変形するため、このロック部１０が付勢手段として機能し、緩みが発生することを防止する。
【００３１】
この実施形態にかかる被保持部２０のガイド部２１，２２，２３，２４は正方形をなしている。このため、図５に示す直交するＰ，Ｑ，Ｒ，Ｓの４方向のいずれの方向に対しても被保持部２０を保持部３で保持させることができる。
【００３２】
例えば、Ｐ方向又はＱ方向に保持部３を被保持部２０にスライドさせる場合、ガイド部２１とガイド部２２からなるガイド部の対に案内される。そして、これまでに説明したように、Ｐ方向に保持部３をスライドさせた場合、ガイド部２４がベース部７の内端縁８と、ロック部１０の係合部１１により挟持される。一方、Ｑ方向に保持部３をスライドさせて保持させた場合、ガイド部２３がベース部７の内端縁８と、ロック部１０の係合部１１により挟持される。
【００３３】
これに対し、Ｒ方向又はＳ方向に保持部３を被保持部２０にスライドさせる場合、ガイド部２３とガイド部２４からなるガイド部の対に案内される。そして、Ｒ方向に保持部３をスライドさせた場合、ガイド部２１ベース部７の内端縁８と、ロック部１０の係合部１１により挟持される。一方、Ｓ方向に保持部３をスライドさせて保持させた場合、ガイド部２２がベース部７の内端縁８と、ロック部１０の係合部１１により挟持される。
【００３４】
なお、Ｐ方向又はＱ方向に保持させた場合にはガイド部２３又はガイド部２４がベース部７の内端縁８に当接されて、ストッパとして機能する一方で、Ｒ方向又はＳ方向に保持させた場合には、ガイド部２１又はガイド部２２がベース部７の内端縁８に当接されて、ストッパとして機能する。
【００３５】
次に、図８〜図１４を参照して、本発明の第２の実施形態について説明する。
【００３６】
図８及び図９に示すように、第２の実施形態にかかるケース２の保持機構もケース２の側面に形成された被保持部３０と、この被保持部３０を保持する保持部３とから構成されている。
【００３７】
図１０及び図１１は、保持部３の詳細を示している。なお、この第２の実施形態にかかる保持部３の構造は、ロック部１５の構造の他は、第１の実施形態にかかる保持部３の構造とほぼ同様であるため、同一の部位には、同一の符号を付して、その詳細な説明は省略する。
【００３８】
この保持部３のロック部１５も、その平面視の形状が細長い台形状に形成され、先端に向かうに連れて先細りに形成されている。このロック部１５は、その先端が、当該保持部３に形成された二つの折り曲げ部１２，１３のうち先端部１４側の折り曲げ部１３よりもさらに、先端部１４側まで延びている。そして、先細りに形成された先端部分には、本体部４に向けて突出する係合部１６が形成されている。なお、保持部の左右方向の中心にてベース部７から本体部４と平行をなすと共に、厚み方向についても、図１１に示すように、本体部４と所定の間隔を空けて平行をなしている。
【００３９】
図１２〜図１４は、キャニスタ１のケース２の外周面に形成された被保持部３０を示している。
【００４０】
この被保持部も、ケース２の外周面から一定の厚みに突出された矩形状の座部３５を有し、この座部３５の上面にて、平行に延びるガイド部３１，３２の対とガイド部３３，３４の対とが、相互に直交して外観が井桁のように形成されている（図１４参照）。そして、４つの頂点の位置には、ガイド部３１，３２，３３，３４の高さ方向における上端から当該被保持部３０の外側方に向けてそれぞれ張り出す拘束部４０が形成されている。
【００４１】
この被保持部３０では、図１４に示すように、各ガイド部３１，３２，３３，３４の両端が、互いに直交する他のガイド部３１，３２，３３，３４から外側方へ向けて突出するようにして形成されている。この突出した部分は、後に説明するように、保持部３のスライドを止めるストッパ３６，３７，３８，３９として機能する。ただし、この実施の形態ではストッパとして、ガイド部の端部を外側方に突出させた態様のものを示しているが、これに限定されるものではなく、保持部の形状に応じて適宜な態様で設ければよい。
【００４２】
なお、各ガイド部の３１，３２，３３，３４の外面は、保持部３のスライド部を案内するガイド面３１ａ，３２ａ，３３ａ，３４ａとして機能し、さらに、各ガイド部の３１，３２，３３，３４の中央には内容に向け矩形に若干窪ませた凹所３１ｂ，３２ｂ，３３ｂ，３４ｂが、それぞれ形成されている。
【００４３】
以上のように保持部３及び被保持部３０を形成することで、キャニスタ１をＰ，Ｑ，Ｒ，Ｓの４方向について保持することが可能になる。
【００４４】
図８及び図９に示す例のように、被保持部３０を保持部３へ取り付けるには、まず、被保持部３０の各ガイド部３１，３２に形成された凹所３１ｂ，３２ｂと、保持部３に形成されたスライド部５の位置を一致させ、被保持部３０を、保持部３の空間部Ａの内側へ押し込む。次いで、スライド部５の内端縁をガイド面３１ａ，３２ａに当接させた状態で、被保持部３０を保持部３のベース７側へスライドさせる。すると、スライド部５は、ガイド部３３側の拘束部２６と座部３５との間に形成されたスリット４１の間をスライドする。
【００４５】
そうすると、スライド部５のスライドをガイドする一方のガイド部の対３１，３２と直交する他方のガイド部の対３３，３４のうち、先端部１４側のガイド部３３に形成されたストッパ３６にスライド部５が当接される。また、ロック部１５の先端に形成された係合部１６は、先端部１４側のガイド部３３を乗り越え、ガイド部３３のガイド面３３ａと係合する。これにより保持部３が被保持部３０を保持する。
【００４６】
このように、保持部３が被保持部３０を保持した状態では、ロック部１５はベース部７を基点として先端側が被保持部３０側に付勢され、ロック部１５の係合部１６とスライド部５とがガイド部３３の両端に形成されているストッパ３６を挟み込む。さらに、スライド部５は、ガイド部３３側の拘束部２６により、被保持部３０の高さ方向の移動が拘束される。このような作用を通じて、保持部３は被保持部３０を強固に保持する。なお、この保持部３においても、ロック部１５が弾性変形するため、このロック部１５が付勢手段として機能し、緩みが発生することを防止する。
【００４７】
以上の作用と同様にして、この第２の実施形態に係るケースの保持委機構についても、Ｐ，Ｑ，Ｒ，Ｓの４方向のいずれの方向に対しても被保持部３０を保持部３で保持させることができる。
【００４８】
なお、以上の説明では、第１の実施形態にかかるケースの保持機構の保持部３については長さの短いロック部１０を採用し、第２の実施形態にかかるケースの保持機構の保持部３については長さの長いロック部１５を採用した場合を例に説明したが、これとは逆に、第１の実施形態についてロック部１５を採用し、第２の実施形態についてロック部１０を採用してもよい。
【図面の簡単な説明】
【００４９】
【図１】本発明の第１の実施形態にかかるケースの保持機構を備えたキャニスタユニットにいて、ケースの保持機構を正面から見たキャニスタユニットの正面図。
【図２】図１に示すケースの保持機構側方から見たキャニスタユニットの側面図。
【図３】図１に示すケースの保持機構を構成する保持部の正面図。
【図４】図３に示す保持部のＩＶ−ＩＶ断面の断面図。
【図５】図１に示すケースの保持機構を構成する被保持部の正面図。
【図６】図５に示す被保持部の側面図。
【図７】図５に示す被保持部をガイド部で切断した断面図。
【図８】本発明の第２の実施形態にかかるケースの保持機構を備えたキャニスタユニットについて、ケースの保持機構を正面から見たキャニスタユニットの正面図。
【図９】図８に示すケースの保持機構側方から見たキャニスタユニットの側面図。
【図１０】図８に示すケースの保持機構を構成する保持部の正面図。
【図１１】図１０に示す保持部のＸＩ−ＸＩ断面の断面図。
【図１２】図８に示すケースの保持機構を構成する被保持部の平面図。
【図１３】図１２に示す被保持部の側面図。
【図１４】図１２に示す被保持部をガイド部で切断した断面図。
【符号の説明】
【００５０】
１・・・・・・・・キャニスタ
２・・・・・・・・ケース
３・・・・・・・・保持部
４・・・・・・・・本体部
５・・・・・・・・スライド部
６・・・・・・・・突出部
７・・・・・・・・ベース部
１０，１５・・・・ロック部
１１，１６・・・・係合部
２０，３０・・・・被保持部
２１，２２，２３，２４・・・ガイド部
３１，３２，３３，３４・・・ガイド部
２１ａ，２２ａ，２３ａ，２４ａ・・・ガイド面
３１ａ，３２ａ，３３ａ，３４ａ・・・ガイド面
２６，４０・・・・拘束部
【図１】
2006299972.tif 000003
【図２】
2006299972.tif 000004
【図３】
2006299972.tif 000005
【図４】
2006299972.tif 000006
【図５】
2006299972.tif 000007
【図６】
2006299972.tif 000008
【図７】
2006299972.tif 000009
【図８】
2006299972.tif 000010
【図９】
2006299972.tif 000011
【図１０】
2006299972.tif 000012
【図１１】
2006299972.tif 000013
【図１２】
2006299972.tif 000014
【図１３】
2006299972.tif 000015
【図１４】
2006299972.tif 000016